(57)【要約】      （修正有）【課題】木造建築物の構造材を補強するための簡単な構成で高強度の接合部材を提供する。【解決手段】接合部材１は、ボルト孔２ｄが穿設された基板部２ａと、基板部の相対向する両側面から、基板部に対して垂直に同方向に延びる２枚の側板部２ｂ、２ｃとを有する本体２と、本体の２枚の側板部の各々に相対向するように穿設されたボルト孔２ｅ、２ｆと、本体の基板部の側板部が延在する面に対して反対側の面に位置する第１部材１３から突出し、基板部のボルト孔を挿通するボルト１５に螺合するナット７と、基板部を挟んで第１部材に対向すると共に、２枚の側板部に挟まれた第２部材１４を貫通し、２枚の側板部の相対向するボルト孔を挿通するボルト３と、ボルトに螺合するナット６とを備える。【選択図】図１
0003200095.tif 000002
【実用新案登録請求の範囲】
【請求項１】
ボルト孔が穿設された基板部と、該基板部の相対向する両側面から、該基板部に対して垂直に同方向に延びる２枚の側板部とを有する本体と、
該本体の２枚の側板部の各々に相対向するように穿設されたボルト孔と、
前記本体の基板部の前記側板部が延在する面に対して反対側の面に位置する第１部材から突出し、該基板部の前記ボルト孔を挿通するボルトに螺合するナットと、
前記基板部を挟んで前記第１部材に対向すると共に、前記２枚の側板部に挟まれた第２部材を貫通し、前記２枚の側板部の相対向するボルト孔を挿通するボルトと、該ボルトに螺合するナットとを備えることを特徴とする接合部材。
【請求項２】
ボルト孔が穿設された基板部と、該基板部の一側面から、該基板部に対して垂直に延びる側板部とを有する本体と、
該本体の側板部に穿設されたボルト孔と、
前記本体の基板部の前記側板部が延在する面に対して反対側の面に位置する第１部材から突出し、該基板部の前記ボルト孔を挿通するボルトに螺合するナットと、
前記基板部を挟んで前記第１部材に対向すると共に、前記側板部に当接する第２部材を貫通し、前記側板部のボルト孔及び該第２部材の貫通穴を挿通するボルトと、該ボルトに螺合するナットとを備えることを特徴とする接合部材。
【考案の詳細な説明】
【技術分野】
【０００１】
本考案は、木造建築物の構造材を補強するために用いられる接合部材に関する。
【背景技術】
【０００２】
従来、木造建築物の構造材を補強するため、太ボルトや縫いボルトを用いた引き寄せ金物が用いられているが、縫いボルトによる引き寄せ金物の取り付け作業に手間が掛かったり、柱から縫いボルトへの力の伝達の面で改善する余地があった。そこで、特許文献１には、従来の引き寄せ金物では２〜５本必要とされている縫いボルトを使用しないで、ビス止めなどの簡単な止め付け方法で、従来の引き寄せ金物と同等の強度を確保する引き寄せ金物が提案されている。
【先行技術文献】
【特許文献】
【０００３】
【特許文献１】特開２００４−２１８４０６号公報
【考案の概要】
【考案が解決しようとする課題】
【０００４】
上記特許文献１に記載の引き寄せ金物は、木造建築物の構造材を補強するにあたり有効に機能するが、さらに簡単な構成で高強度を発揮することのできる接合部材が求められていた。
【課題を解決するための手段】
【０００５】
上記課題を解決するため、本考案に係る接合部材は、ボルト孔が穿設された基板部と、該基板部の相対向する両側面から、該基板部に対して垂直に同方向に延びる２枚の側板部とを有する本体と、該本体の２枚の側板部の各々に相対向するように穿設されたボルト孔と、前記本体の基板部の前記側板部が延在する面に対して反対側の面に位置する第１部材から突出し、該基板部の前記ボルト孔を挿通するボルトに螺合するナットと、前記基板部を挟んで前記第１部材に対向すると共に、前記２枚の側板部に挟まれた第２部材を貫通し、前記２枚の側板部の相対向するボルト孔を挿通するボルトと、該ボルトに螺合するナットとを備えることを特徴とする。
【０００６】
本考案によれば、基板部と、該基板部の相対向する両側面から、該基板部に対して垂直に同方向に延びる２枚の側板部とを有する本体によって２つの部材を接合したため、簡単な構成で２つの部材を高強度に接合することができる。
【０００７】
また、本考案に係る接合部材は、ボルト孔が穿設された基板部と、該基板部の一側面から、該基板部に対して垂直に延びる側板部とを有する本体と、該本体の側板部に穿設されたボルト孔と、前記本体の基板部の前記側板部が延在する面に対して反対側の面に位置する第１部材から突出し、該基板部の前記ボルト孔を挿通するボルトに螺合するナットと、前記基板部を挟んで前記第１部材に対向すると共に、前記側板部に当接する第２部材を貫通し、前記側板部のボルト孔及び該第２部材の貫通穴を挿通するボルトと、該ボルトに螺合するナットとを備えることを特徴とする。
【０００８】
本考案によれば、基板部と、該基板部の相対向する両側面から、該基板部に対して垂直に同方向に延びる側板部とを有する本体によって２つの部材を接合したため、簡単な構成で２つの部材を高強度に接合することができる。
【考案の効果】
【０００９】
以上のように、本考案によれば、木造建築物の構造材を補強するにあたり簡単な構成で高強度に部材を接合することができる。
【図面の簡単な説明】
【００１０】
【図１】本考案にかかる接合部材の一実施の形態を示す分解斜視図である。
【図２】図１に示す接合部材の断面図であって、接合される部材の記載を省略した状態を示す。
【図３】図１に示す接合部材の使用例を示す斜視図である。
【考案を実施するための形態】
【００１１】
次に、本考案にかかる接合部材の実施の形態について図面を参照しながら説明する。
【００１２】
図１及び図２に示すように、この接合部材１は、鋼板等によってコの字状に形成された本体２と、２つの部材１３、１４を本体２に取り付けるための緊結部材３〜９とで構成される。
【００１３】
本体２は、中央部にボルト孔２ｄが穿設された基板部２ａと、基板部２ａの相対向する両側面から垂直に上方向に延びる２枚の側板部２ｂ、２ｃとで構成される。側板部２ｂ、２ｃの各々には、相対向する位置に３つのボルト孔２ｅ、２ｆが穿設される。
【００１４】
第１部材１３は例えば土台であって、第２部材１４を柱とすることができる。また、第１部材１３を柱、第２部材１４を横架材としてもよい。
【００１５】
第１部材１３には、ボルト１５が埋め込まれている。一方、第２部材１４には、側板部２ｂ、２ｃのボルト孔２ｅ、２ｆに対応する位置に３つの貫通孔１４ａが形成される。
【００１６】
緊結部材として、本体２の基板部２ａを第１部材１３に緊結するためのナット７、平座金８及び角座金９と、本体２の側板部２ｂ、２ｃを第２部材１４に緊結するためのボルト３、丸座金４、５及びナット６が設けられる。
【００１７】
図３は、上記本体２等を用いて土台としての第１部材１３に柱である第２部材１４を接合した状態を示す。尚、第２部材１４の底面には、図示を省略するが、ナット７及び平座金８（図１参照）と干渉しないように凹部が形成されている。
【００１８】
図３に示すように、第１部材１３の表面にボルト１５等によって本体２の基板部２ａが固定され、本体２の側板部２ｂ、２ｃの間に第２部材１４が装着され、３本のボルト３が第２部材１４を貫通して第２部材１４と側板部２ｂ、２ｃとを強固に接合しているため、地震等が発生した場合の第１部材１３、第２部材１４間の引抜力に耐えることができる。
【００１９】
尚、上記実施の形態においては、本体２の側板部２ｂ、２ｃの各々に３つのボルト孔２ｅ、２ｆを穿設し、第２部材１４に３つの貫通孔１４ａを形成したが、これらボルト孔２ｅ、２ｆ及び貫通孔１４ａの数は３つに限定されない。また、ボルト孔２ｅ、２ｆ及び貫通孔１４ａを一直線上に形成するのではなく、千鳥に形成することもできる。
【００２０】
さらに、本体２に２枚の側板部２ｂ、２ｃを設けたが、いずれか１枚とし、第２部材１４の一面だけに当接させ、第２部材１４にボルト３を貫通させ、ボルト３にナット６を螺合させるように構成することもできる。
【符号の説明】
【００２１】
１  接合部材
２  本体
２ａ  基板部
２ｂ、２ｃ  側板部
２ｄ〜２ｆ  ボルト孔
３  ボルト
４、５  丸座金
６、７  ナット
８  平座金
９  角座金
１３  第１部材
１４  第２部材
１４ａ  貫通孔
１５  ボルト
【図１】
0003200095.tif 000003
【図３】
0003200095.tif 000004
【図２】
0003200095.tif 000005